(57)【要約】      （修正有）【課題】重く、大きい足置き台を、ポケットにも入る携帯可能サイズにする。また、好みの足置き面の傾斜も選べる足置き台を提供する。【解決手段】（イ）折りたたまれた状態の足置き台を開き、フック（４，５）を切り込み穴（４ａ，５ａ）に差し込むと足置き台になる。また、切り込み穴に差し込まれているフックをはずすと、容易に折りたたむことができる。（ロ）足置き面（１）中央にある仕切り版（６）を深さが異なる溝（７，８，９、）のいずれかに差し込むと、足置き面の傾斜を変えることができる。【選択図】図３
0003128252.tif 000002
【実用新案登録請求の範囲】
【請求項１】
足置きの角度を変えられる折りたたみ可能な携帯用足置き台。
【考案の詳細な説明】
【技術分野】
【０００１】  この考案は、携帯することを前提にしているので、容易に折りたためる構造になっている。また、この考案は、足置き面の角度を自由に変えられるようにしたものである。
【背景技術】
【０００２】  従来、足置き台は固定式の重いものが使用されていた。また、空気注入式のエアーバックも使用されていた。
【考案の開示】
【考案が解決しようとする課題】
【０００３】  これはつぎのような問題点があった。
足置き台は、形状が大きく重いため、コートのポケットやバックに入れて持ち回ることは不可能であった。また、エアーバックのように折りたためるものもあったが、足置きとして使用するとき、及び使用後の折りたたみに時間を費やし、なおかつ足置き面が安定しない欠点があった。
この考案は、以上のような欠点をなくすためになされたものである。
【課題を解決するための手段】
【０００４】  あらかじめ折り目を入れておいた一枚の板紙で、組み立てたり，折りたたんだりできるようにする。また、これには足置き面の傾斜（角度）を変えられるようにする。
【考案の効果】
【０００５】  簡単に組み立てたり、折りたたむことが可能で、しかも足を置いたとき、心地よい足置き面の傾斜を選ぶことができる。軽量、小型であるためコートのポケットやバッグに入れて持ち回れる。旅行など長時間座席に座り続けるときに使用すると、体の疲労をおさえられる。また、何度でも繰り返し使用することができる。
【考案を実施するための最良の状態】
【０００６】以下、本考案の実施例について説明する。
（イ）折りたたまれた状態の足置き台（図１）を開き、フック（４）を側面板（２）の切り込み穴（４ａ）及びフック（５）を切り込み穴（５ａ）に差し込むと足置き台になる（図３）。
また、切り込み穴に差し込まれているフックをはずすと容易に折りたたむことができる。
（ロ）足置き面（１）中央にある仕切り板（６）を深さが異なる溝（７，８，９）のいずれかに差し込むと、足置き面の角度を変えられる。
尚、足置き台の材質は、板紙、木板、合成樹脂、金属等任意のものを使用する。
【図面の簡単な説明】
【０００７】
【図１】本考案の折りたたんだ状態の斜視図である。
【図２】展開図である。
【図３】組み立てた足置き台の斜視図である。
【図４】足置き面の傾斜を変えたときの足置き台の斜視図である。
【符号の説明】
【０００８】  １          足置き面
２，３      側面
４，５      フック
４ａ，５ａ  切り込み穴
６          仕切り板
７，８，９  溝
【図１】
0003128252.tif 000003
【図２】
0003128252.tif 000004
【図３】
0003128252.tif 000005
【図４】
0003128252.tif 000006
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
組み立て式の足置き台において一枚のシート状部材で構成され、台の側面に少なくとも二つの深さの異なる溝を設けることにより、天板の傾斜を変えることができることを特徴とする。
【手続補正２】
【補正対象書類名】明細書
【補正対象項目名】全文
【補正方法】変更
【補正の内容】
【考案の詳細な説明】
【技術分野】
【０００１】  この考案は、足置き面の角度を自由に変えられるようにしたものである。またこの考案は、携帯することを前提にしているので、容易に折りたためる構造になっている。
【背景技術】
【０００２】  従来、足置き面の傾斜を変えて使用する足置き台はあった。また、空気注入式のエアーバックも使用されていた。
【考案の開示】
【考案が解決しようとする課題】
【０００３】  これにはつぎのような問題点があった。  足置き台の傾斜を変えて使用する足置き台はあったが、形状が大きく重いため、安易に移動することができずコートのポケットやバッグに入れて持ち回ることは不可能であった。また、エアーバッグのように折りたためるものもあったが、足置きとして使用するとき、足置き面が柔らかいため足置き面に置いた足が安定しない欠点があり、なおかつ使用前の空気注入及び使用後の折りたたみに時間を費やしていた。この考案は、以上のような欠点をなくすためになされたものである。
【課題を解決するための手段】
【０００４】  本考案の足置き台は、あらかじめ折り目を入れておいた一枚のシート状の部材から構成されているので簡単に組み立て、折りたたみができ、展開時には平面となる。また足置き台の側面に少なくとも二つの深さの異なる溝を設けることにより、足置き面（天板）の傾斜を変えることができることを特徴とする。
【考案の効果】
【０００５】  本考案は、簡単に組み立てたり、折りたたむことが可能で、しかも足を置いたとき、心地よい足置き面の傾斜を選ぶことができる。軽量で、折りたたむと小型になるため非常に優れた携帯性を発揮することができ、コートのポケットやバッグに入れて持ち回れる。旅行など長時間座席に座り続けるときに使用すると、体の疲労をおさえられる。また、何度でも繰り返し使用することができる。
【考案を実施するための最良の形態】  本考案の実施例について図面を参照しつつ、以下詳細に説明する。【０００６】  長さ４６ｃｍ、幅４８ｃｍ、厚さ４ｍｍの図４で示した形状の板紙を用意し、この板紙にはあらかじめ折り目を入れておく。この板紙を図３のように折りたたむと略Ａ５サイズの小型になる。【０００７】  展開された前記板紙を折り目に沿って折りたたみ、フック４を側面板２ａにある切り込み穴４ａ及びフック５を切り込み穴５ａに差し込み、仕切り板６を溝７，８，９のいずれかに差し込むと足置き台図１になる。【０００８】  左右にある側面板３には、深さの異なる溝７，８、９を設けてある。溝８は足置き面１，１ａ下部にある仕切り板６を差し込んだとき、足置き面１と１ａが平坦になるように溝の深さを決めておく。溝７，９は溝８よりもそれぞれ異なる深い溝にしておくことにより、仕切り板を溝７に差し込むことによって足置き面１と１ａに傾斜を得られ、また溝９に差し込むと更に深い傾斜を選ぶことができる図２。仕切り板６はそれぞれの溝に対して脱着自在である。  本考案は、旅行など飛行機やバスに長時間座席に座り続けるときに使用することを主な目的として考案された足置き台であり、足置き面の傾斜は使用者が任意に変えることができる。この足置き台は簡単に折りたたみ、組み立てが可能で、何度でも繰り返し使用できる。  尚、実施例として長さ４６ｃｍ、幅４８ｃｍ、厚さ４ｍｍの板紙を使用したが、寸法、厚さ、及び材質にこだわるものではない。
【図面の簡単な説明】
【０００９】
【図１】本考案の組み立てた状態の足置き台である。
【図２】足置き面の傾斜を変えたときの足置き台である。
【図３】折りたたみ中の足置き台である。
【図４】足置き台を展開したときの展開図である。
【符号の説明】
【００１０】１、１ａ      足置き面２、２ａ、３  側面４、５        フック４ａ、５ａ    切り込み穴６            仕切り板７，８，９    溝１０          山折り１１          谷折り
【手続補正３】
【補正対象書類名】図面
【補正対象項目名】全図
【補正方法】変更
【補正の内容】
【図１】
0003128252.tif 000007
【図２】
0003128252.tif 000008
【図３】
0003128252.tif 000009
【図４】
0003128252.tif 000010
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
足置き台の両側面に各々少なくとも二つの深さの異なる溝を設けることにより、天板の傾斜を変えることができることを特徴とする一枚のシート状部材で構成された組み立て式の足置き台。